(57)【要約】【課題】前身頃のファスナーを開閉することなく、かつバッテリを衣服から取り出すことなく、バッテリ操作が可能なファン付き衣服を提供する。【解決手段】ファンで外気を取り込むファン付き衣服１に用いる衣服であって、衣服１の外側に手の挿入口を設けたポケット７と、衣服の内側にポケット７の収容部１１とは独立して設け、ファンを駆動するバッテリを収納するバッテリ収納部１２と、ポケット７とバッテリ収納部１２との間で着用者の指の出入りを可能にする出入り部１３とを備え、バッテリは操作部を有しており、ポケット７から手を挿入し、続いて出入り部１３から指を挿入することによって、操作部を直接指で操作することを可能にしている。【選択図】図３
2020026583.tif 000002
【特許請求の範囲】
【請求項１】
ファンで外気を取り込むファン付き衣服に用いる衣服であって、
前記衣服の外側に手の挿入口を設けたポケットと、
前記衣服の内側に前記ポケットの収容部とは独立して設け、前記ファンを駆動するバッテリを収納するバッテリ収納部と、
前記ポケットと前記バッテリ収納部との間で着用者の指の出入りを可能にする出入り部とを備え、
前記バッテリは操作部を有しており、
前記ポケットから手を挿入し、続いて前記出入り部から指を挿入することによって、前記操作部を直接指で操作することを可能にしたことを特徴とするファン付き衣服に用いる衣服。
【請求項２】
前記バッテリ収納部は、立体的に広がる襠を追加したものである請求項１に記載のファン付き衣服に用いる衣服。
【発明の詳細な説明】
【技術分野】
【０００１】
本発明は、ファンで外気を取り込むファン付き衣服に用いる衣服に関する。
【背景技術】
【０００２】
近年、熱中症対策や夏場の作業効率を高めるために、作業現場における作業服として、ファン付上着が用いられるようになってきた。ファン付上着は、ファンの回転で取り込んだ外気を身体と上着との間に流動させて、身体を冷やすというものである。ファン付上着のファンはバッテリを電源とするモータで駆動され、バッテリに設けられた操作ボタンの操作により、電源のＯＮ／ＯＦＦだけでなく、出力も調整できるものが多くなっている。
【０００３】
これらの操作は、一度の着用時に多数回行わなければならず、バッテリをファン付上着の内側のポケットに収納するものでは、操作する毎に前身頃のファスナーの開閉が必要であった。この開閉は開閉自体が手間のかかるものであり、その回数が多数回となると煩雑さが増し開閉の負担も重くなる。このことに加えて、高所や運転中などでの開閉は、大きな危険を伴い安全面での問題もあった。
【０００４】
他方、特許文献１記載のファン付上着は、ファンへの接続線の接栓をファン付上着の表に出させるようにして、ファン付上着を着用した状態で、服の表側の胸の前でバッテリの操作をすることができるようにしている。
【先行技術文献】
【特許文献】
【０００５】
【特許文献１】特許第６１７８５２５号公報
【発明の概要】
【発明が解決しようとする課題】
【０００６】
しかしながら、特許文献１記載のファン付上着は、バッテリの操作をしないときは、バッテリを内ポケット袋の中に収容し、内ポケット袋をファスナで封止し、バッテリの操作をするときに、ファンへの接続線の接栓をファン付上着の表に出すというものである。
【０００７】
すなわち、特許文献１記載のファン付上着は、前身頃のファスナーの開閉をすることなく、バッテリの操作は可能であるが、バッテリの操作時にはバッテリをファン付上着の外側に取り出す必要があり、バッテリの操作回数が多数回となったときの煩雑さの問題や高所や運転中における安全面の問題は依然として解決されていなかった。
【０００８】
本発明は前記のような従来の問題を解決するものであり、前身頃のファスナーを開閉することなく、かつバッテリを衣服から取り出すことなく、バッテリ操作が可能なファン付き衣服を提供することを目的とする。
【課題を解決するための手段】
【０００９】
前記目的を達成するために、本発明のファン付き衣服に用いる衣服は、ファンで外気を取り込むファン付き衣服に用いる衣服であって、前記衣服の外側に手の挿入口を設けたポケットと、前記衣服の内側に前記ポケットの収容部とは独立して設け、前記ファンを駆動するバッテリを収納するバッテリ収納部と、前記ポケットと前記バッテリ収納部との間で着用者の指の出入りを可能にする出入り部とを備え、前記バッテリは操作部を有しており、前記ポケットから手を挿入し、続いて前記出入り部から指を挿入することによって、前記操作部を直接指で操作することを可能にしたことを特徴とする。
【００１０】
この構成によれば、着用者はポケットに手を挿入し、指を出入り部からバッテリ収納部に挿入させれば、操作部の操作ができるので、前見頃ファスナを開閉することなく、かつバッテリを衣服から取り出すことなく、バッテリの操作部の操作が可能になる。あわせて、指をバッテリの操作部に直接触れた状態で操作部の操作ができるので、簡単でかつ確実な操作が可能になる。さらに、バッテリ収納部はポケットの収容部とは独立して設けているため、バッテリ収納部を設けてもポケットの収容部の容量には影響しないので、ポケットの機能が損なわれることはない。
【００１１】
前記本発明ののファン付き衣服に用いる衣服においては、前記バッテリ収納部は、立体的に広がる襠を追加したものであることが好ましい。この構成によれば、厚みのあるバッテリを容易に収容することができる。
【発明の効果】
【００１２】
本発明の効果は前記のとおりであり、要約すれば、前見頃ファスナを開閉することなく、かつバッテリを衣服から取り出すことなく、バッテリの操作部の操作が可能になり、指をバッテリの操作部に直接触れた状態で操作部の操作ができるので、簡単でかつ確実な操作が可能になり、さらに、バッテリ収納部を設けてもポケットの収容部の容量には影響しないので、ポケットの機能が損なわれることはない。
【図面の簡単な説明】
【００１３】
【図１】本発明の一実施形態に係る上着の正面図。
【図２】図１に示した上着の裏面図。
【図３】図１に示したポケット近傍の拡大図。
【図４】図１に示したポケット近傍の裏面側の拡大図。
【図５】本発明の一実施形態に係る上着に装着する電装品の外観斜視図。
【図６】図３に示した上着のＡＡ線における断面図。
【図７】本発明の一実施形態に係る上着を着用者が着用した状態の要部を示す斜視図。
【図８】本発明の一実施形態に係るバッテリ収納部の近傍を示す斜視図。
【図９】図８の状態から指を進入させて指がバッテリの操作部に触れた状態を示す斜視図。
【発明を実施するための形態】
【００１４】
本発明は、ファン付き衣服に用いる衣服に関するものであり、本発明に係る衣服にファンを取り付け、ファンの電源としてのバッテリを衣服に収納すれば、ファン付き衣服として用いることができる。ファン付き衣服はファンで外気を取り込んで、身体を冷やすものであり、夏場の建設現場の作業、工場内の作業、屋外の点検作業、農作業等の高温下における作業の作業服として適している。
【００１５】
以下、本発明の一実施形態について図面を参照しながら説明する。図１は本発明の一実施形態に係る上着１の正面図であり、図２は上着１の裏面図である。本実施形態では、ファン付き衣服に用いる衣服を上着として説明するが、衣服はこれに限るものではなく、ズボンであってもよい。衣服を上着に代えてズボンとした場合は、ポケット近傍の構成を本実施形態に係る上着１と同様の構成を採用すればよい。
【００１６】
図1及び図２の状態では、上着１にはファン及びバッテリは装着されていない。詳細は後に説明するとおり、上着１をファン付き衣服として用いる場合には、図２に示した開口１０にファンを取り付け、ケーブルを介してファンに接続したバッテリを上着１内に収納する。本実施形態では、ファンは回転羽根の部分だけでなく、回転羽根の駆動用モータ及びファンガードを含む組立品のことをいう。
【００１７】
図１において、上着１は前身頃２に袖３が付けられたものであり、襟４から裾５に亘り取り付けられた前見頃ファスナ６の開閉により、着衣及び脱衣が可能である。前身頃２の左右両側にはポケット７が設けられている。ポケット７は上着１の外側に手の挿入口を設けており、上着１の外側から手が挿入できるようになっている。図２において、後ろ身頃９にはファン取り付け用の開口１０が設けられている。
【００１８】
図３は図１に示したポケット７近傍の拡大図である。図４はポケット７近傍の裏面側（上着１の内側）の拡大図である。図３及び図４において、ポケット７は袋状の収容部１１を有している。図４に示したように、バッテリ収納部１２が収容部１１とは独立して設けられている。バッテリ収納部１２は、収容部１１に襠を追加したものであり、立体的に広がることができ、厚みのあるバッテリを容易に収容することができる。収容部１１には出入り部１３が設けられており、詳細は後に説明するとおり、ポケット７の収容部１１とバッテリ収納部１２との間で出入り部１３を介して上着１の着用者の指の出入りが可能になっている。
【００１９】
図５は、上着１に装着する電装品の外観斜視図である。ファン２０は、回転羽根２１にファンガード２２が取り付けられたものであり、回転羽根２１の裏面側には回転羽根２１を回転駆動させるモータ（図示せず）が取り付けられている。モータにはケーブル２３の一端が接続され、ケーブル２３の他端にはプラグ２４が取り付けられており、プラグ２４はバッテリ３０のジャック３１に接続されている。
【００２０】
ファン２０の上着１への装着方式は、特に限定はないが、例えばファン２０の裏側（モータ側）を上着１の外側から図２に示した開口１０に嵌め込み、上着１の裏側からファン２０にリング（図示せず）を締め付ける方式のものが挙げられる。ファン２０を上着１へ装着し、上着１をファン付上着として着用した場合は、ファン２０を駆動させると、上着１内に外気が取り込まれ、外気が身体と上着１との間を通り抜けて身体が冷やされることになる。
【００２１】
図５において、バッテリ３０はファン２０の電源であり、上面に操作部３２を有している。操作部３２には操作ボタン３３、３４及び表示パネル３５を設けている。操作ボタン３３、３４の操作により、電源ＯＮ／ＯＦＦと出力調整が可能である。操作ボタン３３の長押しにより、電源ＯＮとなり、以後操作ボタン３３を押ず毎に出力が段階的に増加し、ファン２０の風量が増加する。一方、操作ボタン３４を押ず毎に出力が段階的に減少し、ファン２０の風量も減少する。
【００２２】
表示パネル３５には、出力レベルやバッテリ残量が数字で表示される。図５に示したバッテリ３０は一例であり、ファン２０の電源として機能し、かつバッテリ収納部１２に収納可能な程度に小型なものであればよい。操作部３２についても、図５のものに限るものではなく、電源ＯＮ／ＯＦＦや出力調整が可能なものであればよい。
【００２３】
図６は図３に示した上着１のＡＡ線における断面図を示している。上着１の内側に、ポケット７（図３参照）を構成する袋状の収容部１１が設けられている。収容部１１は収容する物品等の大きさに応じて膨らみ、図６は収容部１１が少し膨らんだ状態を示しており、収容空間１４が形成されている。さらに、上着１の内側には、収容部１１とは独立してバッテリ収納部１２が設けられている。図６に示したように、バッテリ収納部１２には、バッテリ３０が収納されている。
【００２４】
収容部１１には出入り部１３が設けられており、ポケット７の収容部１１とバッテリ収納部１２との間で出入り部１３を介して上着１の着用者の指の出入りが可能になっている。このことにより、ポケット７から出入り部１３を経てバッテリ収納部１２へ挿入した指でバッテリ３０の操作部３２（図５参照）の操作が可能になっている。
【００２５】
本実施形態では、図４に示したように、出入り部１３は矩形状の開口であるが、指の出入りが可能であればよく、開口の形状に特に限定はなく、また開口に限るものではなく、切れ目やスリットであってもよい。以下、バッテリ３０の操作について、図７〜９を参照しながら具体的に説明する。
【００２６】
図７は、上着１を着用者が着用した状態の要部を示す斜視図である。上着１はファン２０等の電装品を装着したファン付き上着の状態になっている。本図では、着用者の手がポケット７内に入っている。この状態では、着用者の手は図６に示した収容部１１の収容空間１４内に収まっている。
【００２７】
図８は、バッテリ収納部１２の近傍を示す斜視図である。本図の状態では、着用者の指４０が出入り部１３からバッテリ収納部１２の開口付近に挿入している。この状態から、さらに指４０を挿入させれば、指４０がバッテリ３０の操作部３２に触れることになる。
【００２８】
図９は、図８の状態から、指４０の挿入を進めて指４０がバッテリ３０の操作部３２に触れた状態を示している。本図の状態では、指４０が操作部３２の操作ボタン３３に触れており、指４０で操作ボタン３３を押すことにより、電源を入れることができ、さらに操作ボタン３３を押すことにより、出力を段階的に上げて風量を上げることができる。図６に示したように、バッテリ３０の底面は、バッテリ収納部１２の底面に接しており、バッテリ３０の下方向への移動はバッテリ収納部１２により規制されるので、指４０で操作ボタン３３を押してもバッテリ３０はほとんど下方向へは移動せず、バッテリ３０を支える動作は不要になり、指４０を動かすだけで、バッテリ３０の操作が可能になる。
【００２９】
着用者が予め操作部３２のレイアウトを認識していれば、図９のように指４０で操作ボタン３３に触れることは容易であり、もう一方の操作ボタン３４に触れることも容易である。指４０で操作ボタン３４を押すことにより、出力を段階的に下げて風量を下げることができ、電源を切ることもできる。操作ボタン３３の操作の場合と同様にバッテリ３０を支える動作も不要になる。
【００３０】
本実施形態によれば、着用者はポケット７に手を挿入し、指４０を出入り部１３からバッテリ収納部１２の開口付近に挿入させれば、操作部３２の操作ができるので、前見頃ファスナ６（図１参照）を開閉することなく、かつバッテリ３０を上着１から取り出すことなく、バッテリ３０の操作部３２の操作が可能になる。あわせて、指４０をバッテリ３０の操作部３２に直接触れた状態で操作部３２の操作ができるので、簡単でかつ確実な操作が可能になる。
【００３１】
さらに、本実施形態は、ポケット７とバッテリ収納部１２との間で出入り部１３を介して着用者の指の出入りを可能にするものであり、バッテリ収納部１２はポケット７の収容部１１とは独立して設けている。すなわち、バッテリ収納部１２を設けてもポケット７の収容部１１の容量には影響しないので、ポケット７の機能が損なわれることはない。
【００３２】
以上、本発明の一実施形態について説明したが、前記実施形態は一例であり適宜変更したものであってもよい。例えば、前記実施形態では、片方のポケット７にバッテリ収納部１２を設けているが両方のポケット７に設けてもよく、ポケット７にファスナを設けてもよい。
【００３３】
また、図６では、バッテリ収納部１２は収容部１１の内側（身体側）に設けているが、バッテリ収納部１２は上着１（衣服）の内側にあればよく、収容部１１と前身頃２との間に設けてもよい。この場合、出入り部１３は収容部１１のうち前身頃２側に設ければよい。
【符号の説明】
【００３４】
１  上着（衣服）
７  ポケット
１０  開口
１１  収容部
１２  バッテリ収納部
２０  ファン
３０  バッテリ
３２  操作部
【図１】
2020026583.tif 000003
【図２】
2020026583.tif 000004
【図３】
2020026583.tif 000005
【図４】
2020026583.tif 000006
【図５】
2020026583.tif 000007
【図６】
2020026583.tif 000008
【図７】
2020026583.tif 000009
【図８】
2020026583.tif 000010
【図９】
2020026583.tif 000011